(57)【要約】【課題】  相異なるプロトコルを使う異種の移動通信網が独立的に運用される通信環境で、各々のプロトコルを搭載して、各々の移動通信網に対して連動するハイブリッド基地局装置を提供する。【解決手段】  第１の移動通信網と接続するための第１のプロトコルを処理する第１の整合部３１０と、第２の移動通信網と接続するための第２のプロトコルを処理する第２の整合部３３０と、無線端末と物理接続プロトコル処理及びＲＦ送受信処理を実行するチャンネル及びＲＦ処理部３４０と、チャンネル及びＲＦ処理部３４０を通じて接続された無線端末との階層２又は階層３（Open Systems Interconnection（OSI）Layer 2 or layer 3）の信号処理時に、無線端末から受信された信号の分析を通じて当該無線端末が接続しようとする網を判断して第１の移動通信網又は第２の移動通信網へ接続を実行するルーティング処理部３２０と、を含む。【選択図】  図７
2005117663.tif 000002
【特許請求の範囲】
【請求項１】
第１の移動通信網と接続するための第１のプロトコルを処理する第１の整合部と、
第２の移動通信網と接続するための第２のプロトコルを処理する第２の整合部と、
無線端末との物理接続プロトコル処理及びＲＦ送受信処理を実行するチャンネル及びＲＦ処理部と、
前記チャンネル及びＲＦ処理部を通じて接続された前記無線端末との階層２又は階層３（Open Systems Interconnection（OSI）Layer 2 or layer 3）の信号処理時に、前記無線端末から受信された信号の分析を通じて当該無線端末が接続しようとする網を判断して第１の移動通信網又は第２の移動通信網へ接続を実行するルーティング処理部と、
を含むことを特徴とするハイブリッド基地局装置。
【請求項２】
ＡＴＭ基盤の第１の移動通信網と接続するためのＡＴＭプロトコルを処理するＡＴＭ整合部と、
ＩＰ基盤の第２の移動通信網と接続するためのＩＰプロトコルを処理するＩＰ整合部と、
無線端末との物理接続プロトコル処理及びＲＦ送受信処理を実行するチャンネル及びＲＦ処理部と、
前記チャンネル及びＲＦ処理部を通じて接続された前記無線端末との階層２又は階層３（Open Systems Interconnection（OSI）Layer 2 or layer 3）の信号処理時に、前記無線端末から受信された信号の分析を通じて当該無線端末が接続しようとする網を判断してＡＴＭ基盤の第１の移動通信網へ接続するかＩＰ基盤の第２の移動通信網へ接続を実行するルーティング処理部と、
を含むことを特徴とするハイブリッド基地局装置。
【請求項３】
ＡＴＭ基盤の移動通信サービスを提供する第１の移動通信網と、
ＩＰ基盤の移動通信網サービスを提供する第２の移動通信網と、
ＡＴＭプロトコルとＩＰプロトコルを搭載してＡＴＭ基盤の第１の移動通信網に連動する場合はＡＴＭ方式の呼処理を実行し、ＩＰ基盤の第２の移動通信網に連動する場合はＩＰ方式の呼処理を実行するハイブリッド基地局装置と、
を含むことを特徴とする移動通信システム。
【請求項４】
前記ハイブリッド基地局装置は、任意の無線端末が呼接続を試みる場合に、該無線端末が前記ＡＴＭ基盤の第１の移動通信網を利用しようとするか前記ＩＰ基盤の第２の移動通信網を利用しようとするかを判断し、無線端末がＡＴＭ基盤の第１の移動通信網を利用しようとする場合はＡＴＭ基盤の第１の移動通信網で呼処理を実行し、無線端末がＩＰ基盤の第２の移動通信網を利用しようとする場合はＩＰ基盤の第２の移動通信網で呼処理を実行すること
を特徴とする請求項３記載の移動通信システム。
【請求項５】
前記ハイブリッド基地局装置は、ＡＴＭ基盤の第１の移動通信網と接続するためのＡＴＭプロトコルを処理するＡＴＭ整合部と、
ＩＰ基盤の第２の移動通信網と接続するためのＩＰプロトコルを処理するＩＰ整合部と、
無線端末と物理接続プロトコル処理及びＲＦ送受信処理を実行するチャンネル及びＲＦ処理部と、
前記チャンネル及びＲＦ処理部を通じて接続された前記無線端末との階層２又は階層３（Open Systems Interconnection（OSI）Layer 2 or layer 3）の信号処理時に、前記無線端末から受信された信号の分析を通じて該当無線端末が接続しようとする網を判断してＡＴＭ基盤の第１の移動通信網へ接続するかＩＰ基盤の第２の移動通信網へ接続を実行するルーティング処理部と、
を含むことを特徴とする請求項３記載のハイブリッド基地局装置。
【請求項６】
無線端末から受信された発信号又は呼出に対する応答呼の信号に対して、無線接続プロトコル上の物理階層を処理する段階と、
処理後の信号に対して、無線接続プロトコル上の階層２及び階層３（Open Systems Interconnection（OSI）Layer 2 or layer 3）の分析を実行して、該信号を、第１のプロトコル基盤の第１の移動通信網と、第２のプロトコル基盤の第２の移動通信網と、のいずれに伝送するか、を判断する段階と、
該判断の結果、前記第１の移動通信網へ伝送する場合には前記第１のプロトコル処理を実行して前記第１の移動通信網へ前記信号を送信し、前記第２の移動通信網へ伝送する場合には前記第２のプロトコル処理を実行して前記第２の移動通信網へ送信する段階と、
を含むことを特徴とするハイブリッド基地局装置の呼処理方法。
【請求項７】
第１の移動通信網又は第２の移動通信網からの要請によってフラッグを設定して通話チャンネルを割り当てる段階をさらに含むこと
を特徴とする請求項６記載のハイブリッド基地局装置の呼処理方法。
【請求項８】
前記無線端末から逆方向トラフィックが受信される場合に、設定されたフラッグに従って、対応するトラフィックを第１の移動通信網又は第２の移動通信網のいずれかへ伝送する段階をさらに含むこと
を特徴とする請求項７記載のハイブリッド基地局装置の呼処理方法。
【請求項９】
前記第１のプロトコル処理はＡＴＭ処理方式で、前記第２のプロトコル処理はＩＰ処理方式であること
を特徴とする請求項６記載のハイブリッド基地局装置の呼処理方法。
【発明の詳細な説明】
【技術分野】
【０００１】
本発明は、 ハイブリッド基地局装置(hBTS: hybrid Base Transceiver Station)に関し、より詳しくは、相互に異なる通信プロトコルを使う第１移動通信網と第２移動通信網とに連動する基地局装置に関するものであり、さらに具体的には、ＡＴＭ(Asynchronous Transfer Mode)プロトコルとＩＰ(Internet Protocol)プロトコルを支援して、ＡＴＭ基盤の移動通信網とＩＰ基盤の移動通信網とに連動するハイブリッド基地局装置に関する。
【背景技術】
【０００２】
現在常用化されている３世代移動通信システムは、基地局 (BTS : Base Transceiver Station)、基地局制御機(BSC : Base Station Controller)、移動交換局(MSC : Mobile Switching Center)の間のネットワークが、ＡＴＭプロトコルを基盤として設計されている。
【０００３】
一方、次世代の音声及びデータ通信網がＩＰプロトコルを中心として統合される技術発展の動向に従って、移動通信網にもＩＰ技術を取り入れる研究が行われている。
【０００４】
また、ＡＬＬ−ＩＰでネットワークが統合される次世代通信網の過渡期的な形態として、ＧＳＭ，ＣＤＭＡ，ＵＭＴＳなどのような、既存の移動通信網とＩＰ基盤の移動通信網を連動させる技術に対する研究が行われている。その一例として、下記特許文献１には、既存の公衆移動通信網と私設ＩＰ移動通信網を連動させる技術が開示されている。
【０００５】
上記例のように、既存の公衆移動通信網のＭＳＣ端でＩＰ移動通信網と連動させる方案が活発に研究されており、図１には、このような方式の一般的な網連動概念を示している。
【０００６】
図１は、第１移動通信網とＭＳＣ端で連動される第２移動通信網を運用するシステムの構成図である。
【０００７】
図１を参照すると、このシステムは、ＭＳＣ１，ＢＳＣ２，ＢＴＳ＃１(３）からなる第１移動通信網(Ａ)と、区内無線システム４，ＢＴＳ＃２(５)からなる独立した第２移動通信網(Ｂ)と、で構成される。
【０００８】
このように第１移動通信網(Ａ)から独立した第２移動通信網(Ｂ)を設計する場合には、当該第２移動通信網(Ｂ)は、一般的には、第１移動通信網(Ａ)とＩＳ−４１インターフェースにより、ＭＳＣ１と連動される。
【０００９】
しかしながら、このような構造では、第２移動通信網(Ｂ)は、第１移動通信網(Ａ)とＭＳＣ１を通じたＩＳ−４１インターフェースに連動されるので、第１移動通信網(Ａ)の設計構造から独立的に網設計が可能であるが、無線端末(図示せず)が第１移動通信網領域(Ａ)と第２移動通信網領域(Ｂ)の間で移動する場合に、ＭＳＣ１を通じた網と網の間で、成功率が低いハードハンドオフ(hard handoff)が発生し、異なる網間の通信プロトコルが不一致（conflict）になる、などの問題が発生する。
【００１０】
一方、他の方案として、公衆移動通信網のＢＳＣ端で移動通信網と連動させる方法が本出願人である三星電子により出願され、下記の特許文献２として登録されている。
【００１１】
このような方式を利用した連動概念を図２に示す。
【００１２】
図２は、第１移動通信網とＢＳＣ端で連動される第２移動通信網を運用するシステムの構成図である。
【００１３】
図２を参照すると、ＭＳＣ１１，ＢＳＣ１２，１４，ＢＴＳ＃３(１３)，ＢＴＳ ＃４(２０)からなる第１移動通信網と、第１移動通信網のＢＳＣ１４とＢＴＳ＃４(２０)の間に区内無線システム１５が存在してなる第２移動通信網で構成される。この場合には、区内無線システム１５は、第１移動通信網とＢＴＳ＃４(２０)を共有する構造を持つ。
【００１４】
即ち、無線端末がＢＴＳ＃４(２０)に信号を伝送すると、ＢＴＳ＃４(２０)は該信号をそのまま区内無線システム１５に伝送し、区内無線システム１５は、当該無線端末が第２移動通信網を利用しようとしているか又は第１移動通信網を利用しようとしているかを判断し、第１移動通信網を利用しようとしている場合にはその信号を透過的に第１移動通信網へ伝送し、第２移動通信網を利用しようとしている場合には第２移動通信網へその信号を伝送する。
【００１５】
しかしながら、このような構造では、既存の第１移動通信網のＢＳＣ１４と連動するので、ソフトハンドオフ(soft handoff)処理及び通信プロトコル処理には有利であるが、既存の第１移動通信網に非常に依存的な形態となる。即ち、既存の第１移動通信網がＡＴＭ基盤ならば、それに連動される第２移動システムもＡＴＭ基盤のシステムで設計しなければならない。もしも、このような網構造において第２移動システムをＩＰ基盤で設計しようする場合には、区内無線システムから第１移動通信網へ伝送するＩＰ信号をＡＴＭ信号に変換して伝送する装置が追加される必要があり、これはシステムの構成が非常に複雑となり、信号処理が遅延される短所がある。
【００１６】
一方、上記のような構造で用いられるＢＴＳの構造を図３に示す。
【００１７】
図３は、図２に示したＢＴＳの構成ブロック図である。
【００１８】
図３を参照すると、ＢＴＳは、チャンネル及びＲＦ処理部２１と、制御部２２と、ＡＴＭ整合部２３と、を含んで構成される。
【００１９】
ここで、チャンネル及びＲＦ処理部２１は、無線端末との物理接続プロトコル処理及びＲＦ送受信処理を担っており、ＡＴＭ基盤の第１移動通信網とＡＴＭ基盤の第２移動通信網によって、お互いに共有される。
【００２０】
制御部２２は、無線端末との階層２又は階層３（Open Systems Interconnection（OSI）Layer 2 or layer 3）の信号を処理する際に、任意の無線端末が接続すると、自機のサービス領域に属した無線端末であるかを認証して、自機のサービス対象の端末である場合には、ＡＴＭ整合部２３を通じて区内無線システム１５へ伝送する。
【００２１】
ＡＴＭ整合部２３は、ＡＴＭ基盤の第１移動通信網と第２移動通信網を接続するためのプロトコルを提供する。
【００２２】
このように構成されたＢＴＳ２０での呼処理動作について説明すると、無線端末から受信された発信号又は呼び出しに対する応答呼は、ＢＴＳ２０のアンテナ(図示せず)と整合されているチャンネル及びＲＦ処理部２１に受信される。チャンネル及びＲＦ処理部２１は、無線端末との無線接続プロトコル上の物理階層のみを処理して制御部２２へ伝送する。
【００２３】
制御部２２は、受信した信号について無線接続プロトコル上の階層２及び階層３（Open Systems Interconnection（OSI）Layer 2 or layer 3）の分析を実行して、該当する無線端末が自機のサービス対象であるか否かを判断して、サービスを提供するか否かを判断する。この判断の結果、もしも該当する無線端末が自機のサービス対象である場合には、ＡＴＭ整合部２３へ伝達し、続いて区内無線システム１５へ伝達する。
【００２４】
図４は、図３に示すＢＴＳをハードウェア的に表した構成ブロック図である。
【００２５】
図４に示すように、図３のＢＴＳ２０をハードウェア的に具体化すると、無線信号処理を実行するＲＦ処理部２４と、チャンネル割り当て及び分配を実行するチャンネル部２５と、該当する無線端末がサービス対象であるか否かを認証する制御部２６と、区内無線システム１５とＥ１/Ｔ１リンクを通じて整合するためのＥ１/Ｔ１整合部２７と、で構成される。ここで、チャンネル部２５，制御部２６，Ｅ１/Ｔ１整合部２７は、ＡＴＭ基盤であるので、基本的にはＡＴＭモジュールを搭載していなければならない。
【特許文献１】米国特許公報第６,５３９,２３７号
【特許文献２】韓国特許登録第０３６５７９０号
【発明の開示】
【発明が解決しようとする課題】
【００２６】
したがって、本発明は上述したような従来技術の問題点を解決するためになされたものであり、その目的は、相異なるプロトコルを使う異種の移動通信網が独立的に運用される通信環境で、各々のプロトコルを搭載して、各々の移動通信網に対して連動するハイブリッド基地局装置を提供することにある。
【課題を解決するための手段】
【００２７】
上記目的を達成するための本発明の一側面によれば、第１の移動通信網と接続するための第１のプロトコルを処理する第１の整合部と、第２の移動通信網と接続するための第２のプロトコルを処理する第２の整合部と、無線端末との物理接続プロトコル処理及びＲＦ送受信処理を実行するチャンネル及びＲＦ処理部と、前記チャンネル及びＲＦ処理部を通じて接続された前記無線端末との階層２又は階層３（Open Systems Interconnection（OSI）Layer 2 or layer 3）の信号処理時に、前記無線端末から受信された信号の分析を通じて当該無線端末が接続しようとする網を判断して第１の移動通信網又は第２の移動通信網へ接続を実行するルーティング処理部と、を含むハイブリッド基地局装置を提供する。
【００２８】
本発明の他の側面によれば、ＡＴＭ基盤の第１の移動通信網と接続するためのＡＴＭプロトコルを処理するＡＴＭ整合部と、ＩＰ基盤の第２の移動通信網と接続するためのＩＰプロトコルを処理するＩＰ整合部と、無線端末との物理接続プロトコル処理及びＲＦ送受信処理を実行するチャンネル及びＲＦ処理部と、前記チャンネル及びＲＦ処理部を通じて接続された前記無線端末との階層２又は階層３（Open Systems Interconnection（OSI）Layer 2 or layer 3）の信号処理時に、前記無線端末から受信された信号の分析を通じて当該無線端末が接続しようとする網を判断してＡＴＭ基盤の第１の移動通信網へ接続するかＩＰ基盤の第２の移動通信網へ接続を実行するルーティング処理部と、を含むハイブリッド基地局装置を提供する。
【発明の効果】
【００２９】
本発明のハイブリッド基地局装置によれば、異種の相異なる通信プロトコルを使う第１の移動通信網と第２の移動通信網、例えば、ＡＴＭ基盤の第１の移動通信網で使う通信基盤とは関係無く独立的にＩＰ基盤の第２の移動通信網を運用することができ、同時に、ＡＴＭ基盤の第１の移動通信網とのハンドオフ時にも、ソフトハンドオフを通じて高い信頼性でサービスの連続性を保障することができる。
【００３０】
また、本発明のハイブリッド基地局装置によれば、第１の移動通信網がＡＴＭ基盤で構成されている場合であっても、第２の移動通信網をＩＰ基盤で構成することにより、低価で小型の第２の移動通信網を構成することができ、音声サービスのみならず、イントラネットやインターネットを用いた無線データサービスも、ＩＰ基盤の第２の移動通信網を通じてより効率的にサービス提供することが可能となる。
【発明を実施するための最良の形態】
【００３１】
以下、添付の図面を参照して、本発明による好ましい実施形態について詳細に説明する。
【００３２】
図５は、本発明によるハイブリッド基地局装置を含む移動通信システムの網構成図であり、図６は、図５の網構成図による移動通信システム構成を具体化した実施形態を示す図である。
【００３３】
図５を参照すると、本発明によるハイブリッド基地局装置を含む移動通信システムは、ＭＳＣ１１と、ＢＳＣ１２，１４と、ＢＴＳ＃３(１３)と、ｈＢＴＳ３００と、からなる第１の移動通信網(Ｃ領域)と、区内無線システム２００とｈＢＴＳ３００からなる第２の移動通信網(Ｄ領域)で構成される。図示のように、ｈＢＴＳ３００は、第１の移動通信網(Ｃ)と第２の移動通信網(Ｄ)で共有される構造である。ここで、区内無線システム２００には、区内（local）移動通信網又は私設移動通信網や、有線又は無線通信網が含まれる。
【００３４】
本発明による移動通信システムで、ｈＢＴＳ３００のサービスエリア（coverage area）内にいる移動通信加入者がその無線端末を通じて呼接続を試みる場合に、ｈＢＴＳ３００は、加入者が第１の移動通信網(Ｃ)の利用を希望するか第２の移動通信網(Ｄ)の利用を希望するかを判断し、第１の移動通信網(Ｃ)の利用を希望する場合は第１の移動通信網(Ｃ)に対応する呼処理を実行し、第２の移動通信網(Ｄ)の利用を希望する場合は第２の移動通信網(Ｄ)に対応する呼処理を実行するように入力操作等することにより、相異なる通信プロトコルを支援する移動通信網を円滑かつ効果的に連動させる。
【００３５】
図６は、図５のシステムをより具体化した例を示すシステム構成図である。
【００３６】
図６を参照すると、本発明による移動通信システムは、ＡＴＭ＿ＢＳＣ１１０と、ＡＴＭ＿ＭＳＣ１２０と、ＡＴＭ＿ＢＴＳ１３０と、からなるＡＴＭ基盤の第１の移動通信網１００と、ＩＰ＿ＢＳＣ２１０と、ゲートウェイ２２０からなるＩＰ基盤の第２の移動通信網２００と、ＡＴＭ基盤の第１の移動通信網１００及びＩＰ基盤の第２の移動通信網２００を同時に支援するｈＢＴＳ３００と、無線端末４００と、で構成される。第２の移動通信網２００は、ゲートウェイ２２０を通じてＰＳＴＮ５００に接続されて、ＩＰを通じてインターネット６００に接続される。
【００３７】
ここで、ＡＴＭ基盤の第１の移動通信網１００とＩＰ基盤の第２の移動通信網２００は、相異なる方式の別の網で構成され、ｈＢＴＳ３００を共有するようになる。
【００３８】
無線端末４００が呼接続を試みると、ｈＢＴＳ３００は、その無線端末４００がＡＴＭ基盤の第１の移動通信網１００を利用しようとするのか又はＩＰ基盤の第２の移動通信網２００を利用しようとするのかを、例えば、呼要請メッセージの特定部分を確認するなどの方式で判断し、無線端末４００がＡＴＭ基盤の第１の移動通信網１００を利用しようとする場合にはＡＴＭ基盤の第１の移動通信網１００で呼処理を実行し、無線端末４００がＩＰ基盤の第２の移動通信網２００を利用しようとする場合には、ＩＰ基盤の第２の移動通信網２００で呼処理を実行する。
【００３９】
ＩＰ基盤の第２の移動通信網２００内にあるＩＰ＿ＢＳＣ２１０は、ｈＢＴＳ３００から受信される信号を処理して無線資源を割り当てて、無線端末にＩＰ基盤の移動通信サービスをそのサービス領域内で提供する。また、ＩＰ＿ＢＳＣ２１０は、私設交換機(PBX)やアクセスゲートウェイなどで具体化可能なゲートウェイ２２０を通じて、有線公衆網であるＰＳＴＮ(Public Switched Telephone Network)５００に接続でき、呼種類がＶｏＩＰ(Voice over IP)呼、データ呼などのようにＩＰ基盤の呼である場合には、ゲートウェイ２２０を経由しないで直接外部ＩＰ網(Internetなど)６００に接続できる。
【００４０】
一方、第１の移動通信網１００のＡＴＭ＿ＢＳＣ１１０は、ｈＢＴＳ３００から伝送されるＡＴＭ信号を受信して無線資源を割り当てて、ＡＴＭ基盤の移動通信サービスを提供する。
【００４１】
図７は、本発明に従ったｈＢＴＳの構成ブロック図である。
【００４２】
図７に示すように、本実施形態のｈＢＴＳ３００は、ＡＴＭ整合部３１０と、ルーティング処理部３２０と、ＩＰ整合部３３０と、チャンネル及びＲＦ処理部３４０と、を含んで構成される。
【００４３】
このうち、ＡＴＭ整合部３１０は、ＡＴＭ基盤の第１の移動通信網１００と接続するためのＡＴＭプロトコルを提供する。
【００４４】
ルーティング処理部３２０は、無線端末（４００）との階層２又は階層３（Open Systems Interconnection（OSI）Layer 2 or layer 3）の信号処理時に、該無線端末４００から受信された信号の分析を通じて、その無線端末４００が接続しようとする網を判断して、第１の移動通信網１００へ接続するか第２の移動通信網２００へ接続する機能を実行する。
【００４５】
一方、無線端末４００から受信側電話番号(一般電話番号、内線番号、移動通信端末機の電話番号など)を有する信号が受信されると、ルーティング処理部３２０は、その電話番号に第２の移動通信網２００との接続を希望することを示す識別子(例えば、＃，＊，など)が付加されているか否かを判断する。ここで、当該識別子が付加されている場合には、ルーティング処理部３２０が第２の移動通信網２００へ当該電話番号を含んだ通話要請信号を伝送して通話路を設定することによって、無線端末４００と相手側端末との間で、第２の移動通信網２００を使用した通話が可能となる。これに対して、無線端末４００からの当該電話番号（すなわち、使用者が入力した電話番号）に識別子が付加されていない場合には、ルーティング処理部３２０は、該無線端末４００が第１の移動通信網１００との接続を希望していると判断して、当該電話番号を含んだ通話要請信号を第１の移動通信網１００へ伝送して通話路を設定することにより、第１の移動通信網サービスを使用した通話を可能にする。
【００４６】
一例として、無線端末４００から受信した信号に電話番号“＃２１２”が含まれている場合には、ルーティング処理部３２０は、第２の移動通信網２００の利用を希望する識別子“＃”が付加されているので、第２の移動通信網２００の利用を希望すると判断する。そして、ルーティング処理部３２０は、第２の移動通信網２００へ電話番号“２１２”を含んだ通話要請信号を伝送し、これにより、第２の移動通信網２００を通じて、無線端末４００と、内線番号“２１２”の内線電話の加入者との通話を可能にする。
【００４７】
さらに、無線端末４００から受信した信号に電話番号“＃０２−２１２−８８６６”が含まれている場合には、ルーティング処理部３２０は、その電話番号に第２の移動通信網２００の利用を希望することを示す識別子“＃”が含まれているので、第２の移動通信網２００の利用を希望すると判断する。そして、ルーティング処理部３２０は、第２の移動通信網２００へ電話番号“０２−２１２−８８６６”を含んだ通話要請信号を伝送し、これにより、第２の移動通信網２００を利用して公衆電話網を通じて、無線端末４００と、電話番号“０２−２１２−８８６６”を持つ公衆電話網加入者との通話を可能にする。
【００４８】
また、無線端末４００から受信した信号に電話番号“＃０１６−２１２−８８６６”が含まれている場合には、ルーティング処理部３２０は、その電話番号に第２の移動通信網２００の利用を希望することを示す識別子“＃”が含まれているので、第２の移動通信網２００の利用を希望すると判断する。そして、ルーティング処理部３２０は、第２の移動通信網２００へ電話番号“０１６−２１２−８８６６”を含んだ通話要請信号を伝送し、これにより、第２の移動通信網２００を通じて、無線端末４００と、電話番号“０１６−２１２−８８６６”の公衆移動通信サービス加入者との通話を可能にする。
【００４９】
これに対して、無線端末４００から第２の移動通信網２００の利用を希望する識別子がない電話番号“０２−２１２−８８６６”が受信された場合には、ルーティング処理部３２０は、当該電話番号に第２の移動通信網２００の利用を希望する識別子“＃”が含まれていないので、第２の移動通信網２００の利用を希望しないと判断する。そして、ルーティング処理部３２０は、第１の移動通信網１００へ電話番号“０２−２１２−８８６６”を含んだ通話要請信号を伝送し、これにより、第１の移動通信網１００を通じて、無線端末４００と、電話番号“０２−２１２−８８６６”の公衆電話網加入者との通話を可能にする。
【００５０】
ＩＰ整合部３３０は、ＩＰ基盤の第２の移動通信網２００と接続するためのＩＰプロトコルを提供する。
【００５１】
チャンネル及びＲＦ処理部３４０は、無線端末４００との物理接続プロトコル処理及びＲＦ送受信処理を担当し、ＡＴＭ基盤の第１の移動通信網とＩＰ基盤の第２の移動通信網とによって共有される。
【００５２】
ｈＢＴＳ３００は、ＡＴＭとＩＰの両方を支援しながら、ＡＴＭ基盤の第１の移動通信網１００に連動するときにはＡＴＭ方式を使用し、ＩＰ基盤の第２の移動通信網２００に連動するときにはＩＰ方式を使用する。
【００５３】
このために、ｈＢＴＳ３００のルーティング処理部３２０は、無線端末４００の呼接続試みが、ＡＴＭ基盤の第１の移動通信網１００と、ＩＰ基盤の第２の移動通信網２００と、のいずれに接続しようとするかを判断して、各網に対応する通信方式に合わせて処理することができる。
【００５４】
また、ｈＢＴＳ３００のルーティング処理部３２０は、音声及びデータのトラフィックについても、ＡＴＭ基盤の第１の移動通信網１００と、ＩＰ基盤の第２の移動通信網２００と、のいずれに伝送するかを判断して、各方式に合わせて伝送することができる。
【００５５】
これによって、ＡＴＭ基盤の第１の移動通信網１００で提供する全ての方式のサービスを、制約事項なしに提供することができ、それと同時に、ＩＰ基盤の第２の移動通信網２００で提供する多様な種類のサービスも全て提供することができる。
【００５６】
呼処理手続きについて概略的に説明すると、無線端末４００から受信された発信号又は呼び出しに対する応答呼の信号は、ｈＢＴＳ３００のアンテナと整合されているチャンネル及びＲＦ処理部３４０に受信される。チャンネル及びＲＦ処理部３４０は、無線端末４００との無線接続プロトコル上の物理階層のみを処理して、ルーティング処理部３２０へ送信する。
【００５７】
ルーティング処理部３２０は、受信した信号に対して無線接続プロトコル上の階層２及び階層３（Open Systems Interconnection（OSI）Layer 2 or layer 3）の分析を実行して、ＡＴＭ基盤の第１の移動通信網１００へ伝送するかＩＰ基盤の第２の移動通信網２００へ伝送するかを判断する。もし、判断結果がＡＴＭ基盤の第１の移動通信網１００へ伝送する場合であれば、当該信号は、ルーティング処理部３２０からＡＴＭ整合部３１０へ伝送され、続いてＡＴＭ基盤の第１の移動通信網１００のＡＴＭ＿ＢＳＣ１１０へ伝送される。
【００５８】
一方、ＩＰ基盤の第２の移動通信網２００へ伝送する場合であれば、当該信号は、ルーティング処理部３２０からＩＰ整合部３３０へ伝送され、続いてＩＰ基盤の第２の移動通信網２００へ伝送される。
【００５９】
また、無線端末４００がＡＴＭ基盤の第１の移動通信網１００に接続して、そのサービス中に外部基地局とのハンドオフが発生する場合がある。
【００６０】
このような場合にも、ＡＴＭ基盤の第１の移動通信網１００と接続する場合に、ｈＢＴＳ３００は、第１の移動通信網と同一のＡＴＭ基盤の通信プロトコルを使うので、外部基地局とのハンドオフ時には、ソフトハンドオフを通じて高い信頼性でサービスの連続性を保障することができる。
【００６１】
一方、無線端末でＩＰ基盤の第２の移動通信網２００に接続するときには、該当領域でのみサービスするので、外部基地局とハンドオフをする必要がなく、従来のＡＴＭ基盤の通信プロトコルを用いることなく、第２の移動通信網２００に相応しいＩＰ基盤の通信プロトコルを用いることができる。
【００６２】
図８は、図７に示すＢＴＳをハードウェア的に表した構成ブロック図である。
【００６３】
図８を参照すると、ｈＢＴＳ３００は、ハードウェア的な連結（Ｅ１/Ｔ１リンク）を通じて第１の移動通信網のＡＴＭ＿ＢＳＣ１１０と整合するためのＥ１/Ｔ１整合部３５０と、該当無線端末がサービス対象であるか否かを認証してルーティング処理を実行する制御部３６０と、チャンネル割り当て及び分配を実行するチャンネル部３７０と、無線信号処理を実行するＲＦ処理部３８０と、を含んで構成される。
【００６４】
ここで、Ｅ１/Ｔ１整合部３５０と、制御部３６０と、チャンネル部３７０は、ＡＴＭ基盤の第１の移動通信網１００と連動するためにＡＴＭモジュールを搭載している。
【００６５】
また、制御部３６０と、チャンネル部３７０は、ＩＰ基盤の第２の移動通信網２００と連動するためのＩＰモジュールを搭載しており、イーサネット(Ethernet（登録商標））を用いたＩＰモジュールを通じて、第２の移動通信網２００と接続される。
【００６６】
図９及び図１０は、このように構成された本発明によるｈＢＴＳを使用して無線端末の呼処理を実行する呼流れ図である。以下、図９及び図１０を参照して、本発明による無線システムで呼処理を実行する手続きについて説明する。
【００６７】
図９は、無線端末がＡＴＭ基盤の第１の移動通信網に接続する場合の呼流れ図である。
【００６８】
図９を参照すると、無線端末４００から受信された発信号（発呼）又は呼び出しに対する応答呼の信号は、ｈＢＴＳ３００のアンテナと整合されているチャンネル及びＲＦ処理部３４０により受信される(ステップＳ１)。
【００６９】
チャンネル及びＲＦ処理部３４０は、該受信した信号につき、無線端末４００との無線接続プロトコル上の物理階層のみを処理して(ステップＳ２)、処理後の信号をルーティング処理部３２０へ伝送する(ステップＳ３)。
【００７０】
ルーティング処理部３２０は、チャンネル及びＲＦ処理部３４０から伝送された信号に対して無線接続プロトコル上の階層２及び階層３（Open Systems Interconnection（OSI）Layer 2 or layer 3）の分析を実行して、ＡＴＭ基盤の第１の移動通信網１００へ伝送するか、又はＩＰ基盤の第２の移動通信網２００へ伝送するか、を判断して(ステップＳ４)、この判断結果がＡＴＭ基盤の第１の移動通信網１００へ伝送する場合であれば、ＡＴＭ整合部３１０へ伝送した後に、ＡＴＭ基盤の第１の移動通信網１００のＡＴＭ＿ＢＳＣ１１０へ伝送する(ステップＳ５)。
【００７１】
第１の移動通信網１００のＡＴＭ＿ＢＳＣ１１０は、ｈＢＴＳ３００からの発信/呼出応答信号を受信した後に、ｈＢＴＳ３００の通話チャンネルの割当を受けるために、ＡＴＭ整合部３１０を通じてルーティング処理部３２０に通話チャンネル割当を要求する(ステップＳ６)。
【００７２】
これにより、ルーティング処理部３２０は、第１の移動通信網１００のＡＴＭ＿ＢＳＣ１１０から受信した通話チャンネルの割当要求に従って、チャンネル及びＲＦ処理部３４０に通話チャンネルの割当を要求する(ステップＳ７)。
【００７３】
チャンネル及びＲＦ処理部３４０は、自機が有しているテーブルに第１の移動通信網のフラッグ(flag)を設定して通話チャンネルを割り当て(ステップＳ８)、その通話チャンネルの割当情報をルーティング処理部３２０へ伝送する(ステップＳ９)。そして、ルーティング処理部３２０は、ＡＴＭ整合部３１０を通じて第１の移動通信網１００のＡＴＭ＿ＢＳＣ１１０へ、当該通話チャンネルの割当情報を伝送する(ステップＳ１０)。
【００７４】
第１の移動通信網１００のＡＴＭ＿ＢＳＣ１１０は、ｈＢＴＳ３００から受信した通話チャンネルの割当情報に従って、ｈＢＴＳ３００を通じて無線端末４００に、チャンネル割当メッセージを伝送する(ステップＳ１１)。
【００７５】
無線端末４００は、自機がｈＢＴＳ３００を通じて第１の移動通信網１００のＡＴＭ＿ＢＳＣ１１０から受信したチャンネル割当メッセージに従って、ｈＢＴＳ３００に音声又はデータトラフィックを伝送する(ステップＳ１２)。 
【００７６】
チャンネル及びＲＦ処理部３４０は、無線端末４００から逆方向トラフィックが受信された場合には、そのトラフィックが有しているフラッグを見て、それに対応したトラフィックを伝送する網が、第１の移動通信網１００である、と判断して(ステップＳ１３)、自機が受信したトラフィックを、ＡＴＭ整合部３１０を通じて第１の移動通信網１００のＡＴＭ＿ＢＳＣ１１０へ伝送する(ステップＳ１４)。
【００７７】
一方、第１の移動通信網１００のＡＴＭ＿ＢＳＣ１１０から無線端末４００に順方向トラフィックが伝送された場合には、ＡＴＭ整合部３１０とチャンネル及びＲＦ処理部３４０を経由して無線端末４００へ伝送される(ステップＳ１５)。
【００７８】
図１０は、本発明によるＩＰ基盤の第２の移動通信網に接続する場合の呼流れ図である。
【００７９】
図１０を参照すると、無線端末４００から受信された発信号（発呼）又は呼び出しに対する応答呼は、ｈＢＴＳ３００のアンテナと整合されているチャンネル及びＲＦ処理部３４０により受信される(ステップＳ２１)。
【００８０】
チャンネル及びＲＦ処理部３４０は、該受信した信号につき、無線端末４００との無線接続プロトコル上の物理階層のみを処理して(ステップＳ２２)、処理後の信号をルーティング処理部３２０へ伝送する(ステップＳ２３)。
【００８１】
ルーティング処理部３２０は、チャンネル及びＲＦ処理部３４０から伝送された信号に対して無線接続プロトコル上の階層２及び階層３（Open Systems Interconnection（OSI）Layer 2 or layer 3）の分析を実行して、ＡＴＭ基盤の第１の移動通信網１００へ伝送するか、又はＩＰ基盤の第２の移動通信網２００へ伝送するか、を判断して(ステップＳ２４)、この判断結果がＩＰ基盤の第２の移動通信網２００へ伝送する場合であれば、ＩＰ整合部３３０へ伝送した後に、ＩＰ基盤の第２の移動通信網２００のＩＰ＿ＢＳＣ２１０へ伝送する(ステップＳ２５)。
【００８２】
第２の移動通信網２００のＩＰ＿ＢＳＣ２１０は、ｈＢＴＳ３００からの発信/呼出応答信号を受信した後に、ｈＢＴＳ３００の通話チャンネルの割当を受けるために、ＩＰ整合部３３０を通じてルーティング処理部３２０に通話チャンネルの割当を要求する(ステップＳ２６)。
【００８３】
これにより、ルーティング処理部３２０は、第２の移動通信網２００のＩＰ＿ＢＳＣ２１０から受信した通話チャンネルの割当要求に従って、チャンネル及びＲＦ処理部３４０に通話チャンネルの割当を要求する(ステップＳ２７)。
【００８４】
チャンネル及びＲＦ処理部３４０は、自機が有しているテーブルに第２の移動通信網のフラッグを設定して通話チャンネルを割り当て(ステップＳ２８)、その通話チャンネルの割当情報をルーティング処理部３２０へ伝送する(ステップＳ２９)。そして、ルーティング処理部３２０は、ＩＰ整合部３３０を通じて第２の移動通信網２００のＩＰ＿ＢＳＣ２１０へ、当該通話チャンネルの割当情報を伝送する(ステップＳ３０)。
【００８５】
第２の移動通信網２００のＩＰ＿ＢＳＣ２１０は、ｈＢＴＳ３００から受信した通話チャンネルの割当情報に従って、チャンネル割当メッセージをｈＢＴＳ３００を通じて無線端末４００へ伝送する(ステップＳ３１)。
【００８６】
無線端末４００は、自機がｈＢＴＳ３００を通じて第２の移動通信網２００から受信したチャンネル割当メッセージに従って、ｈＢＴＳ３００に音声又はデータトラフィックを伝送する(ステップＳ３２)。
【００８７】
チャンネル及びＲＦ部３４０は、無線端末４００から逆方向トラフィックが受信された場合には、そのトラフィックが有しているフラッグを見て、それに対応したトラフィックを伝送する網が、ＩＰ基盤の第２移動通信網２００である、と判断して(ステップＳ３３)、自機が受信したトラフィックを、ＩＰ整合部３３０を通じて第２の移動通信網２００のＩＰ＿ＢＳＣ２１０へ伝送する(ステップＳ３４)。
【００８８】
一方、第２の移動通信網２００から無線端末４００に順方向トラフィックが伝送された場合には、ＩＰ整合部３３０とチャンネル及びＲＦ処理部３４０を経由して無線端末４００へ伝送される(ステップＳ３５)。
【図面の簡単な説明】
【００８９】
【図１】第１の移動通信網とＭＳＣ端で連動される第２の移動通信網を運用するシステムの構成図である。
【図２】第１の移動通信網とＢＳＣ端で連動される第２の移動通信網を運用するシステムの構成図である。
【図３】図２のＢＴＳの構成を説明するためのブロック図である。
【図４】図３に示されたＢＴＳをハードウェア的に表した構成ブロック図である。
【図５】本発明によるｈＢＴＳを通じて既存の移動通信網とＩＰ移動通信網が連動されるシステムの概念的な構成図である。
【図６】本発明によるｈＢＴＳを採用する無線通信網の構成ブロック図である。
【図７】本発明によるｈＢＴＳの構成ブロック図である。
【図８】図７に示されたｈＢＴＳをハードウェア的に表した構成ブロック図である。
【図９】本発明によるＡＴＭ基盤の移動通信網に接続する場合の呼流れ図である。
【図１０】本発明によるＩＰ基盤の第２の移動通信網に接続する場合の呼流れ図である。
【符号の説明】
【００９０】
１１  ＭＳＣ
１３  ＢＴＳ＃３
１２，１４  ＢＳＣ
１５  区内無線システム
１００  第１の移動通信網
１１０  ＡＴＭ＿ＢＳＣ
１２０  ＡＴＭ＿ＭＳＣ
１３０  ＡＴＭ＿ＢＴＳ
２００  第２の移動通信網
２１０  ＩＰ＿ＢＳＣ
２２０  ゲートウェイ
３００  ｈＢＴＳ
３１０  ＡＴＭ整合部
３２０  ルーティング処理部
３３０  ＩＰ整合部
３４０  チャンネル及びＲＦ処理部
３５０  Ｅ１/Ｔ１整合部
３６０  制御部
３７０  チャンネル部
３８０  ＲＦ処理部
４００  無線端末
５００  ＰＳＴＮ
６００  インターネット
【図１】
2005117663.tif 000003
【図２】
2005117663.tif 000004
【図３】
2005117663.tif 000005
【図４】
2005117663.tif 000006
【図５】
2005117663.tif 000007
【図６】
2005117663.tif 000008
【図７】
2005117663.tif 000009
【図８】
2005117663.tif 000010
【図９】
2005117663.tif 000011
【図１０】
2005117663.tif 000012